(57)【要約】 【課題】形状及び大きさに係る制約が少なく外形の設計自由度を確保することができるクラスプを提供する。【解決手段】受け入れ部材（２０）と受け入れ部材（２０）に挿入される挿し込み部材（１０）とを有するクラスプ（１００）であって、挿し込み部材（１０）は、表面に形成された溝部（４０）を有し、溝部（４０）は、受け入れ部材（２０）の内側に設けられた突起部（２３，２４）が入り込み、突起部（２３，２４）を溝部（４０）に沿って誘導して、突起部（２３，２４）の進行方向を規制する。
2016079874.tif 000002
【特許請求の範囲】
【請求項１】
クラスプを構成しかつ受け入れ部材に挿入される挿し込み部材であって、  
前記挿し込み部材の表面に形成された溝部を有し、
前記溝部は、前記受け入れ部材の内側に設けられた突起部が入り込み、前記突起部を前記溝部に沿って誘導して、前記突起部の進行方向を規制することを特徴とする挿し込み部材。
【請求項２】
前記溝部は、前記突起部の挿入方向への進行を防止し前記突起部を係止する係止部を有することを特徴とする請求項１記載の挿し込み部材。
【請求項３】
前記溝部は、挿入方向の端部に形成され、かつ前記突起部の進入及び離脱の少なくとも一方が可能に形成された解放部を有することを特徴とする請求項２記載の挿し込み部材。
【請求項４】
前記溝部は、前記解放部と、前記突起部の挿入方向と反対の方向への進行を防止するとともに前記突起部を進入方向と異なる方向に進出させる折返部と、を有し、前記解放部と前記係止部とを接続するように形成され、
前記折返部は、前記解放部と前記係止部との間に設けられることを特徴とする請求項３記載の挿し込み部材。
【請求項５】
前記突起部は複数設けられ、
前記突起部が前記溝部に進入する際に通る解放部と該突起部が前記溝部から離脱する際に通る解放部とは同一であることを特徴とする請求項４記載の挿し込み部材。
【請求項６】
前記挿し込み部材は、前記挿し込み部材の本体部に対して相対的に回転自在に支持されかつ挿入方向に対して平行な回転軸を有する回転部を備えることを特徴とする請求項１〜請求項５のいずれか１項に記載の挿し込み部材。
【請求項７】
前記挿し込み部材の先端側から前記溝部にかけて形成され、前記突起部を前記挿し込み部材の先端側から前記解放部まで摺動させて案内する案内部を有することを特徴とする請求項３〜請求項６のいずれか１項に記載の挿し込み部材。
【請求項８】
前記案内部は、前記解放部ごとに一対が設けられかつ前記一対の案内部のそれぞれは前記突起部が摺動する距離が互いに異なるように形成されることを特徴とする請求項７記載の挿し込み部材。
【請求項９】
前記受け入れ部材と前記受け入れ部材に挿入される請求項１〜請求項８のいずれか１項に記載の挿し込み部材とを有することを特徴とするクラスプ。
【請求項１０】
前記受け入れ部材は、挿入された前記挿し込み部材を挿入方向とは反対の方向に付勢する付勢部材を有することを特徴とする請求項９記載のクラスプ。
【請求項１１】
前記付勢部材は、挿入方向とは反対の方向の端部において、挿入方向に対して直交する方向に平行な平面部を有し、
前記挿し込み部材は、挿入方向の先端部分に形成され前記平面部に当接する当接部を有することを特徴とする請求項１０記載のクラスプ。
【請求項１２】
前記当接部は、頂点部を挿入方向側に向けた尖形状に形成され、
前記当接部は、挿入された前記挿し込み部材が前記受け入れ部材に対して相対的に回転する際の回転軸上に前記頂点部が形成されることを特徴とする請求項１１記載のクラスプ。
【請求項１３】
請求項９〜請求項１２のいずれか１項に記載のクラスプを有することを特徴とするアクセサリ。
【発明の詳細な説明】
【技術分野】
【０００１】
本発明は、アクセサリなどに用いることができるクラスプに関する。
【背景技術】
【０００２】
ネックレスやブレスレットなどの環状アクセサリに用いることができるクラスプとしては、様々な接続構造を有するものが提供されているが、一般的なものとしては、係止凹部が形成された挿し込み部材と、係止凹部に係脱可能な係止部が形成された受け入れ部材とから構成されるものが知られている（例えば特許文献１及び特許文献２）。この構成のクラスプでは、挿し込み部材と受け入れ部材とを接続する場合には、ユーザは挿し込み部材を受け入れ部材に挿入する。すると、係止部が挿入方向に対して直交する方向から係止凹部に入り込んで係止し、挿し込み部材と受け入れ部材とが互いに接続される。一方、互いの接続を解除させる場合には、係止部を係止凹部から挿入方向に対して直交する方向（係止方向と逆の方向）に離間させて係止部を係止凹部から離脱させる。その際、ユーザは、例えば、受け入れ部材の表面に設けられかつ係止部に接続された釦を押圧したり（特許文献１参照）、受け入れ部材を構成する２つのフレーム間に形成されたスリット（隙間）を閉じるように操作する（特許文献２参照）。そして、ユーザは、受け入れ部材から挿し込み部材を引き離し、互いの接続の解除が完了する。【０００３】
その他、一般的なクラスプとしては、連結部分を回動することで接続および接続の解除を行うものが知られている（例えば特許文献３）。この構成のクラスプでは、ユーザは挿し込み部材を受け入れ部材に挿入し、その状態で挿し込み部材を受け入れ部材に対して予め決められた方向に回動させて接続を固定する。一方、この接続を解除する場合には、ユーザは挿し込み部材を受け入れ部材に対して上記予め決められた方向と逆の方向に回動させる。
【先行技術文献】
【特許文献】
【０００４】
【特許文献１】特許第３２５００９１号公報
【特許文献２】特開２０１１−２３５００８号公報
【特許文献３】特開平７−１７７９１７号公報
【発明の概要】
【発明が解決しようとする課題】
【０００５】
クラスプは、アクセサリに用いられると、アクセサリのデザインの一部を構成する場合が多い。そのため、アクセサリのデザインの自由度を確保するために、外形の形状や大きさの制約が少ないクラスプが求められている。しかしながら、上記した係止凹部が形成された挿し込み部材と係止部が形成された受け入れ部材とから構成されるクラスプでは、受け入れ部材は、係止凹部に係止部を係止させる構成及び係止部を係止凹部から係止方向と逆の方向に離間させるための構成（例えば釦やスリット）を備える必要がある。そのため、受け入れ部材は、上記構成を備えるために形状が制約されるとともに、係止方向の幅を小さく形成することが難しい。【０００６】
一方、連結部分を回動することで接続および接続の解除を行う構成のクラスプでは、クラスプの表面の形状及び大きさについての制約は、例えば釦やスリットを備えるクラスプに比べて少ないが、受け入れ部材の内部は、挿入された挿し込み部材の先端部を回動かつ係止可能なスペースを要するので、クラスプ全体の大きさを小さく形成することが難しく、クラスプの大きさに制約が生じる。【０００７】
本発明は、上記の点に鑑みてなされたもので、形状及び大きさに係る制約が少なく外形の設計自由度を確保することができるクラスプ、当該クラスプを構成する挿し込み部材、及び当該クラスプを有するアクセサリを提供することを目的とする。【０００８】
また、上記した一般的なクラスプによれば、挿し込み部材と受け入れ部材とを互いに接続及び接続を解除する際に、ユーザは、挿し込み部材を挿入方向あるいは挿入方向と逆の方向に向けて操作することに加えて、釦の押圧や、スリットを閉じる操作、受け入れ部材に対して挿し込み部材を回動させるといった操作などがさらに必要となる。そのため、クラスプの接続及び接続の解除の際に行われるユーザの操作が煩雑になるという課題を有している。そこで、クラスプの接続及び接続解除の際のユーザの操作が容易なクラスプ、当該クラスプを構成する挿し込み部材、及び当該クラスプを有するアクセサリを提供することも本発明の目的に含まれる。
【課題を解決するための手段】
【０００９】
上記課題を解決するために創案された第１の発明は、クラスプを構成しかつ受け入れ部材に挿入される挿し込み部材であって、挿し込み部材の表面に形成された溝部を有し、溝部は、受け入れ部材の内側に設けられた突起部が入り込み、突起部を溝部に沿って誘導して、突起部の進行方向を規制することを特徴とする。【００１０】
このような構成によれば、受け入れ部材と挿し込み部材とは、受け入れ部材に挿し込み部材が挿入されて、突起部が溝部に入り込むことで接続され、溝部から突起部が離脱することにより接続が解除される。そのため、受け入れ部材と挿し込み部材とを接続させあるいは接続を解除させるための部材を受け入れ部材の表面側に設ける必要がない。従って、受け入れ部材の外形の形状及び大きさについての制約が少なくなるので、クラスプの外形のデザインの自由度を確保することができる。また、突起部は溝部に沿って進行することにより、受け入れ部材と挿入された挿し込み部材とが相対的に移動する方向及び距離が規制されるので、溝部を所定の形状に形成することにより、受け入れ部材と挿し込み部材とを所定の位置で接続することができる。さらに、挿し込み部材に溝部が形成されることにより、挿し込み部材に突起部が形成される場合に比べて、挿し込み部材の外形は小さくなるので、クラスプを細く形成することが可能となる。【００１１】
上記課題を解決するために創案された第２の発明は、第１の発明に係る挿し込み部材において、溝部は、突起部の挿入方向への進行を防止し突起部を係止する係止部を有することを特徴とする。【００１２】
このような構成によれば、突起部は、溝部に沿って係止部まで誘導されて係止部に係止されるので、突起部を係止部に容易に係止させることができる。また、突起部は、係止部に係止されると、係止部が障壁となって挿入方向への進行が防止されるので、互いに接続された受け入れ部材と挿し込み部材とをそれぞれ離間させる方向に外力が作用しても、突起部と係止部の壁面とがより強く当接した状態となるだけで、互いの係止は解除されない。そのため、クラスプの接続状態をより確実に維持し、接続が不用意に解除されることを防止することができる。【００１３】
上記課題を解決するために創案された第３の発明は、上記した第２の発明に係る挿し込み部材において、溝部は、挿入方向の端部に形成され、かつ突起部の進入及び離脱の少なくとも一方が可能に形成された解放部を有することを特徴とする。【００１４】
このような構成によれば、挿し込み部材を受け入れ部材に挿入することにより突起部は解放部を介して溝部に入り込み、挿し込み部材を受け入れ部材から挿入方向と反対の方向に離間させることにより突起部は解放部を介して溝部から離脱する。そのため、挿し込み部材を挿入方向あるいは挿入方向と反対の方向に操作するのみでクラスプの接続又は接続の解除の操作を行うことができる。【００１５】
上記課題を解決するために創案された第４の発明は、上記した第３の発明に係る挿し込み部材において、溝部は、挿入方向の先端側の端部に形成され突起部の進入及び離脱の少なくとも一方が可能な解放部と、突起部の挿入方向と反対の方向への進行を防止するとともに突起部を進入方向と異なる方向に進出させる折返部と、を有し、解放部と係止部とを接続するように形成され、折返部は、解放部と係止部との間に設けられることを特徴とする。【００１６】
このような構成によれば、挿し込み部材を受け入れ部材に挿入することにより解放部を介して突起部を溝部に進入させ、さらに挿し込み部材を挿入方向に向けて押し込んで突起部を折返部に当接させ、さらに挿し込み部材を挿入方向と反対の方向へ引っ張ることにより、係止部に係止させることができる。そのため、受け入れ部材に対して、挿し込み部材を挿入方向に押し、挿入方向と反対の方向に引っ張るといった簡単な操作により、挿し込み部材と受け入れ部材とを容易かつ確実に接続することができる。【００１７】
上記課題を解決するために創案された第５の発明は、上記した第４の発明に係る挿し込み部材において、突起部は複数設けられ、突起部が溝部に進入する際に通る解放部と該突起部が溝部から離脱する際に通る解放部とは同一であることを特徴とする。【００１８】
このような構成によれば、突起部は、同一の解放部を介して溝部へ進入及び溝部から離脱する。そのため、受け入れ部材と挿し込み部材との相対的な位置は、突起部が溝部に入り込む際と突起部が溝部から離脱する際とで同一の位置となる。すなわち、挿し込み部材が、突起部が溝部に案内されることにより受け入れ部材に対して挿入方向に進退する場合や相対的に回転する構成であっても、突起部が溝部から離脱するまでの突起部の進行過程において、受け入れ部材に対する挿し込み部材の位置はもとの位置に戻る。従って、受け入れ部材と挿し込み部材との相対的な位置が、互いの接続の際と分離の際とで異なることに起因して、互いがねじれることを回避することができる。【００１９】
上記課題を解決するために創案された第６の発明は、上記した第１〜第５の発明に係る挿し込み部材のいずれかにおいて、挿し込み部材の本体部に対して相対的に回転自在に支持されかつ挿入方向に対して平行な回転軸を有する回転部を備えることを特徴とする。【００２０】
このような構成によれば、突起部が溝部に沿って進行することにより、回転部が受け入れ部材に対して相対的に回転する場合であっても、挿し込み部材の本体部は回転部とともに回転しない構成とすることができる。そのため、クラスプの接続及び接続の解除の際に、ユーザが本体部及び受け入れ部材のそれぞれを把持して操作することにより、回転部が回転する場合であっても、本体部及び受け入れ部材の互いが相対的に回転することが抑制されるので、クラスプを接続及び接続を解除する際の操作を容易かつ確実に行うことができる。【００２１】
上記課題を解決するために創案された第７の発明は、上記した第３〜第６の発明に係る挿し込み部材のいずれかにおいて、挿し込み部材の先端側から溝部にかけて形成され、突起部を挿し込み部材の先端側から解放部まで摺動させて案内する案内部を有することを特徴とする。【００２２】
このような構成によれば、受け入れ部材に挿し込み部材を挿入すると、突起部は、案内部によって挿し込み部材の先端から解放部まで案内される。そのため、挿し込み部材を受け入れ部材に挿入する際に、解放部と突起部との位置合わせを行うことなく挿入することができる。【００２３】
上記課題を解決するために創案された第８の発明は、案内部が、上記した第７の発明に係る挿し込み部材において、解放部ごとに一対が設けられかつ一対の案内部のそれぞれは突起部が摺動する距離が互いに異なるように形成されることを特徴とする。【００２４】
このような構成によれば、一対の案内部のうち一方は、他方に対して摺動距離が短く形成されるとともに、挿入方向に直交する平面に対する傾斜角度が大きく形成されて急斜面状となる。そのため、突起部が上記一方の案内部に沿って摺動することにより、突起部が挿入方向に向けて進行する際に摺動面から受ける抵抗が低減されるので、突起部を挿入方向に向けてスムーズに進行させることができる。特に、案内部の挿入方向の長さを十分に確保することができない場合であっても、上記した一方の案内部の構成によれば、摺動距離が短くかつ急斜面状の案内部を設けることができる。従って、このような構成によれば、挿し込み部材を挿入方向に向けて押圧することにより挿し込み部材をスムーズに受け入れ部材に挿入させることができる。【００２５】
上記課題を解決するために創案された第９の発明は、受け入れ部材と受け入れ部材に挿入される上記した第１〜第８の発明に係る挿し込み部材のいずれかと、を有することを特徴とする。【００２６】
このような構成によれば、受け入れ部材と上記した効果を有する挿し込み部材とを備えるクラスプを提供することができる。【００２７】
上記課題を解決するために創案された第１０の発明は、上記した第９の発明に係るクラスプにおいて、受け入れ部材は、挿入された挿し込み部材を挿入方向とは反対の方向に付勢する付勢部材を有することを特徴とする。【００２８】
このような構成によれば、付勢部材を有することにより、挿し込み部材を受け入れ部材から離脱させる際の操作を、付勢部材の付勢力を利用して容易に行うことができる。また、溝部において係止部が設けられる場合においても、上記付勢力を利用して容易に突起部を係止部に誘導することができるとともに、係止部における突起部の係止が容易に解除されることを防止することができる。【００２９】
上記課題を解決するために創案された第１１の発明は、上記した第１０の発明に係るクラスプにおいて、付勢部材は、挿入方向とは反対の方向の端部において、挿入方向に対して直交する方向に平行な平面部を有し、挿し込み部材は、挿入方向の先端部分に形成され平面部に当接する当接部を有することを特徴とする。【００３０】
このような構成によれば、互いに当接する平面部と当接部とを有することにより、付勢部材による付勢力を、挿し込み部材に対して、平面部及び当接部を介して確実に伝えることができる。また、クラスプの接続又は接続の解除の際に、挿し込み部材の挿入方向の先端部分が、付勢部材に対して相対的に回転する場合であっても、挿し込み部材と付勢部材との互いの当接面の面積が縮小するので回転により生じる摩擦の発生が抑制される。そのため、クラスプの接続又は接続の解除の操作を容易に行うことができる。【００３１】
上記課題を解決するために創案された第１２の発明は、上記した第１１の発明に係るクラスプにおいて、当接部は、頂点部を挿入方向側に向けた尖形状に形成され、当接部は、挿入された挿し込み部材が受け入れ部材に対して相対的に回転する際の回転軸上に頂点部が形成されることを特徴とする。【００３２】
このような構成によれば、クラスプの接続又は接続の解除の際に、挿し込み部材の挿入方向の先端部が、受け入れ部材に対して相対的に回転する場合であっても、挿し込み部材と付勢部材との互いの当接面の面積が最小となりかつ回転に伴い当接部が径方向に振れることが防止されるので、回転により当接面に生じる摩擦の発生を低減することができる。これにより、クラスプの接続又は接続の解除の操作をより容易に行うことができる。【００３３】
上記課題を解決するために創案された第１３の発明は、上記した第９〜第１２の発明に係るクラスプを有することを特徴とする。【００３４】
このような構成によれば、上記した挿し込み部材と上記した受け入れ部材とを備えるクラスプを、アクセサリの形態で提供することができる。
【発明の効果】
【００３５】
本発明によれば、形状及び大きさに係る制約が少なく外形の設計自由度を確保することができるクラスプ、当該クラスプを構成する挿し込み部材、及び当該クラスプを有するアクセサリを提供することができる。
【図面の簡単な説明】
【００３６】
【図１】第１実施形態に係るクラスプの一例を示す概略側面図である。
【図２】図１のクラスプの挿し込み部材を示し、（ａ）は図１のＢ−Ｂ線に沿った断面図、（ｂ）図１のＣ−Ｃ線に沿った断面図である。
【図３】図１のクラスプの挿し込み部材を示す要部の斜視図である。
【図４】図１のクラスプの挿し込み部材を示す要部の展開図である。
【図５】図１のクラスプの受け入れ部材を示し、（ａ）は図１のＤ−Ｄ線に沿った断面図、（ｂ）は挿入方向に見た正面図である。
【図６】図１のクラスプの接続動作を示す概略部分断面図である。
【図７】第２実施形態に係るクラスプの一例を示す要部の展開図である。
【図８】第３実施形態に係るクラスプの一例を示す要部側面図である。
【図９】第４実施形態に係るクラスプの一例を示す要部展開図である。
【図１０】第５実施形態に係るアクセサリの一例を示す要部の側面図である。
【発明を実施するための形態】
【００３７】
以下、本発明の実施形態について図面を参照しながら説明する。ただし、本発明はこれに限定されるものではない。また、以下の実施形態を説明するため、図面においては一部分を大きくまたは強調して記載するなど適宜縮尺を変更して表現している。なお、図中においては、受け入れ部材に対して挿し込み部材が挿入する挿入方向をＡ方向と表記し、図中の矢印の方向が＋方向であり、矢印の方向とは反対の方向が−方向であるものとして説明する。
【００３８】
＜第１実施形態＞
本発明に係る第１実施形態について、図面を用いて説明する。図１は、第１実施形態に係るクラスプの一例を示す概略側面図である。図１に示すように、クラスプ１００は、挿し込み部材１０と受け入れ部材２０とを有する。挿し込み部材１０は、受け入れ部材２０に対して挿入可能となっている。また、挿し込み部材１０と受け入れ部材２０とは、互いに接続及び接続の解除が可能となっている。クラスプ１００は、例えば、ネックレスやブレスレットなどの環状アクセサリの連結具として用いられる。
【００３９】
図２は、挿し込み部材１０を示し、（ａ）は図１のＢ−Ｂ線に沿った断面図、（ｂ）図１のＣ−Ｃ線に沿った断面図である。挿し込み部材１０は、挿入方向Ａに延びる棒形状の部材である。挿し込み部材１０は、本体部１１と回転部１２とを有している。
【００４０】
本体部１１は、挿入方向Ａの先端側（＋Ａ側）から基端側（−Ａ側）にかけて、当接部１３と、支持部１４と、把持部１５と、押圧部１６とを有する。これらは、挿し込み部材１０において一体に形成される。
【００４１】
当接部１３は、挿し込み部材１０の挿入方向側（＋Ａ側）の先端に配設される。当接部１３は、挿し込み部材１０が受け入れ部材２０に挿入されると、受け入れ部材２０の平面部２７ａに当接する（図６参照）。なお、平面部２７ａについては後述する。当接部１３は、挿入方向Ａに直交する方向の断面形状が円形状となるように形成されている。また、当接部１３は、支持部１４の＋Ａ側に配設されている。当接部１３の挿入方向Ａに直交する方向の断面積は、例えば、支持部１４の断面積よりも大きく、かつ後述する回転部１２の貫通穴１２ａの挿入方向Ａに直交する方向の断面を含むように形成されている。これにより、支持部１４が貫通して支持された回転部１２が支持部１４から抜けることが防止される。
【００４２】
支持部１４は、当接部１３の基端側（−Ａ側）かつ把持部１５の先端側（＋Ａ側）に配設される。支持部１４は、回転部１２を本体部１１に対して相対的に回転可能に支持する部位である。支持部１４は、挿入方向Ａに沿って延びる円柱形状に形成され、回転部１２の貫通穴１２ａを貫通して配設されている。
【００４３】
把持部１５は、支持部１４の基端側（−Ａ側）かつ押圧部１６の先端側（＋Ａ側）に配設される。把持部１５は、挿し込み部材１０を受け入れ部材２０の挿入口２１に誘導する際に、ユーザが把持可能な部位である。把持部１５は、回転部１２と略同一の外径を有しかつ挿入方向Ａに延びる円柱形状に形成されており、受け入れ部材２０の内部壁面２２に対して摺動しながら挿入方向Ａに沿って進退するように形成される。従って、挿し込み部材１０は、受け入れ部材２０に挿入されると、把持部１５が受け入れ部材２０の内部壁面２２にガイドされながら進退する。そのため、受け入れ部材２０に対する挿し込み部材１０の挿入方向Ａに直交する方向への移動が抑制され、受け入れ部材２０に対する挿し込み部材１０の挿脱操作を容易に行うことができる。
【００４４】
押圧部１６は、把持部１５の基端側（−Ａ側）に配設される。押圧部１６は、挿し込み部材１０と受け入れ部材２０とを接続の際及び接続の解除の際に、ユーザにより挿入方向に向けて（＋Ａ方向に）押圧可能な部位である。押圧部１６は、挿し込み部材１０が受け入れ部材２０に挿入された場合であっても、常に一部あるいは全部が受け入れ部材２０の外部に露出した状態となるように形成される。押圧部１６は、押圧容易とするために、表面が平面状や曲面状に形成されることが好ましい。
【００４５】
押圧部１６は、取り付け穴１６ａを有している。取り付け穴１６ａは、挿入方向Ａに対して直交する方向に押圧部１６を貫通するように形成されている。取り付け穴１６ａは、真珠やチェーンなどが連接された構成の装飾部２（図１０参照）を挿し込み部材１０に接続させるための部位である。取り付け穴１６ａには、例えば、装飾部２の端部と接続された円環部材３（図１０参照）が接続される。
【００４６】
回転部１２は、本体部１１に対して相対的に回転自在に保持されている。回転部１２は、挿入方向Ａに対して平行な回転軸Ｒを有している。回転部１２は、挿入方向Ａに対して直交する方向の断面が略円環状となっており、支持部１４が貫通可能でありかつ挿入方向Ａに延びるように形成された貫通穴１２ａを有している。貫通穴１２ａには、支持部１４が嵌入される。これにより、回転部１２が支持部１４に対して相対的に回転する際に生じる、回転部１２の回転軸Ｒが挿入方向Ａに直交する方向への動き（回転軸Ｒの径方向の振れ）が抑制される。
【００４７】
図３は、回転部１２を示す斜視図である。図４は、図３に示す回転部１２の外周面を平面状に伸ばした展開図である。図４においては、図中の符号の向きに見た場合の上方向が挿入方向Ａである。図３及び図４に示すように、回転部１２は、案内部３０と溝部４０とを有している。案内部３０及び溝部４０は、回転部１２の外周面に形成されている。
【００４８】
案内部３０は、回転部１２の挿入方向の先端部（＋Ａ側の端部）から溝部４０にかけて形成されている。案内部３０は、回転部１２の表面に対して凹形状に形成され、受け入れ部材２０の内側に設けられた突起部２３，２４（図１及び図５参照）が入り込むように形成されている。なお、突起部２３，２４については後述する。案内部３０は、挿し込み部材１０の先端側（＋Ａ側）から後述する解放部３１，３２にかけて突起部２３，２４が摺動可能に形成されている。案内部３０は、突起部２３，２４を摺動させることにより、突起部２３，２４の進行方向を規制して突起部２３，２４を解放部３１，３２へ案内する。
【００４９】
案内部３０は、スロープ状に形成され、挿入方向Ａとは反対の方向に略Ｖ字状に収束して解放部３１、３２に到達する形状となっている。案内部３０は、解放部３１，３２ごとにそれぞれ一対が設けられており、一対の案内部３０のそれぞれ３０ａ，３０ｂは、対称形状となっている。従って、一対の案内部３０のそれぞれ３０ａ，３０ｂは、突起部２３，２４が摺動する距離Ｌ１，Ｌ２、すなわち挿入方向Ａの先端部（＋Ａ側の端部）から解放部３１，３２に至る距離Ｌ１，Ｌ２が同一となるように形成されている。案内部３０の形状は、略Ｖ字状に代えて略Ｕ字状などであってもよい。
【００５０】
溝部４０は、溝状に形成されており、案内部３０と同様に、受け入れ部材２０の内側に設けられた突起部２３，２４が入り込むように形成されている。溝部４０は、突起部２３，２４が入り込むと突起部２３，２４を溝部４０に沿って摺動させて誘導する誘導路の構成となっている。このような溝部４０の構成により、突起部２３，２４の進行方向が規制される。図４に示すように、溝部４０は、解放部３１，３２、係止部３３，３４、及び折返部３５，３６，３７，３８を有している。溝部４０は、解放部３１，３２と係止部３３，３４とを接続するように形成され、突起部２３，２４を解放部３１，３２から係止部３３，３４まであるいは係止部３３，３４から解放部３１，３２まで誘導する。溝部４０は、突起部２３，２４が摺動する第１〜第４案内面Ｓ１〜Ｓ４を有している。
【００５１】
溝部４０の経路は、解放部３１，３２、折返部３５〜３８、及び係止部３３，３４を接続する略Ｗ字状に形成されている。溝部４０の解放部３１，３２から係止部３３，３４に至る経路は、解放部３１，３２から挿入方向Ａの反対方向に延びて、さらに折れ曲がり、挿入方向Ａの反対方向側（−Ａ側）に向けてかつ挿入方向Ａに対して傾斜する方向（矢印Ｇの方向）に延びて折返部３５，３７まで形成され、折返部３５，３７からは、挿入方向側（＋Ａ側）に向けてかつ挿入方向Ａに対して傾斜する方向（矢印Ｉの方向）に延びて係止部３３，３４まで形成されている。一方、係止部３３，３４から解放部３１，３２に至る経路は、係止部３３，３４から挿入方向Ａの反対方向側（−Ａ側）に向けてかつ挿入方向Ａに対して傾斜する方向（矢印Ｋの方向）に延びて折返部３６，３８まで形成され、折返部３６，３８からは、挿入方向側（＋Ａ側）に向けてかつ挿入方向Ａに対して傾斜する方向（矢印Ｍの方向）に延びて、さらに折れ曲がり、挿入方向Ａに延びて解放部３１，３２まで形成されている。突起部２３，２４は、溝部４０を上記順序でのみ進行するように形成されている。すなわち、溝部４０を移動する突起部２３，２４の進行方向は一方通行となっており、上記とは逆方向には進行できないように形成されている。なお、溝部４０が突起部２３，２４を誘導する作用及び溝部４０の構成の詳細については後述する。
【００５２】
解放部３１，３２は、溝部４０の挿入方向側（＋Ａ側）の端部に形成されている。解放部３１，３２は、挿入方向Ａの反対方向の壁面が開いた形状となっており、突起部２３，２４が挿入方向Ａに沿って進行することにより溝部４０に対して進入及び離脱が可能に形成される。解放部３１，３２は、突起部２３，２４の位置に対応する位置に配設され、解放部３１，３２は溝部４０において２つが形成されている。２つの解放部３１，３２のそれぞれは、回転部１２の回転軸Ｒを中心とする円周上に１８０度の相対位置関係で配設されている。また、２つの解放部３１，３２のそれぞれは、クラスプ１００が接続する際に、２つの突起部２３，２４のうち一方の突起部（例えば突起部２３）を溝部４０に進入させ、クラスプの接続が解除される際には他方の突起部（例えば突起部２４）を溝部４０から離脱させる構成となっている。すなわち、突起部２３，２４が進入する際に通過する解放部３１，３２と、当該突起部２３，２４が溝部４０から離脱する際に通過する解放部３１，３２とが異なるように形成されている。例えば、突起部２３は、溝部４０に対して進入する際に解放部３１を通過し、溝部４０から離脱する際には解放部３１ではなく解放部３２を通過する。
【００５３】
係止部３３，３４は、溝部４０に対して突起部２３，２４を係止するために設けられる。係止部３３，３４は、挿入方向側（＋Ａ側）に、突起部２３，２４が当接する係止面３３ａ，３４ａを有している。このような突起部２３，２４が係止面に当接する構成により、受け入れ部材２０に挿入された挿し込み部材１０に対して、挿入方向Ａとは反対の方向、すなわち互いを離脱させる方向に力が作用すると、係止部３３，３４に係止された状態の突起部２３，２４は、係止面３３ａ，３４ａに当接する。このように、接続が外れる方向への突起部２３，２４の移動に対して係止面３３ａ，３４ａが障壁となることにより、接続されたクラスプ１００に対して互いに離脱する方向に力が加わっても、突起部２３，２４が溝部４０から脱落し、クラスプ１００の接続が解除されることが防止される。係止部３３，３４は、突起部２３，２４の位置に対応する位置に配設され、係止部３３，３４は溝部４０において２つが形成されている。
【００５４】
折返部３５〜３８は、溝部４０において、挿入方向Ａとは反対の方向に突起部２３，２４が進行することを防止するとともに、突起部２３，２４を進入方向と異なる方向に進出させる部位である。折返部３５〜３８は、側面視で（挿入方向Ａに対して直交する方向から見て）挿入方向Ａとは反対の方向を頂点側とする略Ｖ字形状に形成されている。折返部３５〜３８は、溝部４０において４つが形成されており、それぞれ解放部３１，３２と係止部３３，３４との間に設けられている。
【００５５】
以上、挿し込み部材１０の構成について説明したが、挿し込み部材１０は上記した構成に限定されない。例えば、挿し込み部材１０は、挿入方向Ａに延びる棒形状以外の形状であってもよい。また、挿し込み部材１０の本体部１１は一体で形成されることに限定されず、例えば複数の部材を組み合わせることにより形成されてもよい。また、回転部１２、当接部１３、支持部１４、把持部１５、及び押圧部１６のそれぞれは、挿し込み部材１０において設けられなくてもよい。挿し込み部材１０において回転部１２が設けられない場合、溝部４０及び案内部３０は、回転部１２に代えて本体部１１の表面に形成してもよい。また、この場合、回転部１２を回転可能に支持する支持部１４の機能を、把持部１５や押圧部１６などが備えるように構成してもよい。また、挿し込み部材１０において押圧部１６が設けられない場合であって、かつ挿し込み部材１０が例えば後述する装飾部２（図１０参照）などの他の部材に固着又は当接されて当該他の部材と一体的に構成される場合には、当該他の部材を押圧部として機能させて、クラスプの接続時のユーザの操作において当該他の部材を押圧する構成としてもよい。また、この場合、挿し込み部材１０の−Ａ側の端部が装飾部２に対して挿し込まれる構成であってもよい。
【００５６】
当接部１３、支持部１４、及び把持部１５のそれぞれの挿入方向Ａに対して直交する方向の断面は、円形状に限定されず、多角形状や、円弧部分及び直線部分を有する形状などであってもよく、挿入方向Ａに沿って断面形状あるいは断面積が変化する構成であってもよい。回転部１２についても同様に、断面形状が略円環状以外の形状であってもよい。
【００５７】
当接部１３については、本体部１１に代えて例えば回転部１２に設けられてもよい。また、支持部１４は、回転部１２を本体部１１に対して相対的に回転可能に支持する構成であれば上記以外の構成としてもよい。また、把持部１５は、挿入方向Ａに沿って進退する際に、受け入れ部材２０の内部壁面２２に対して摺動することに代えて、内部壁面２２から離間する構成としてもよい。
【００５８】
取り付け穴１６ａについては、挿し込み部材１０において設けるか否かは任意である。また、取り付け穴１６ａは、押圧部１６に設けられることに代えて例えば把持部１５に設けられてもよい。また、本体部１１に取り付け穴１６ａが設けられる構成に代えて、本体部１１の外部に設けられる環状の取り付け環の構成としてもよい。この場合、取り付け環は、例えば、押圧部１６の基端側（−Ａ側）の端面の中央部分に突設される構成としてもよい。
【００５９】
また、溝部４０は上記した形状に限定されない。また、挿し込み部材１０において、案内部３０、係止部３３，３４、解放部３１，３２、及び折返部３５〜３８のそれぞれは設けられなくてもよい。また、解放部３１，３２及び係止部３３，３４の形成数は、２つに限定されず１つあるいは３つ以上であってもよい。また、折返部３５〜３８の形成数についても、４つに限定されず、解放部３１，３２あるいは係止部３３，３４の数あるいは形状に応じて、適宜増減が可能である。また、溝部４０については、係止部３３，３４が設けられない構成であってもよい。
【００６０】
以上説明した挿し込み部材１０の構成に関する変形事項については、後述する他の実施形態の挿し込み部材２１０，３１０，４１０についても同様に適用が可能である。
【００６１】
図５は、受け入れ部材２０を示し、（ａ）は図１のＤ−Ｄ線に沿った断面図、（ｂ）は挿入方向に見た正面図である。図５（ａ）に示すように、受け入れ部材２０は、筒部２５と、底部２６と、突起部２３，２４と、付勢部材２７とを有している。
【００６２】
筒部２５は、挿し込み部材１０が挿入方向Ａに挿脱可能に形成される。筒部２５は、挿入方向Ａに延びる円筒状に形成され、挿入方向Ａとは反対の方向（−Ａ方向）の端部には挿入口２１が設けられている。ただし、筒部２５は、円筒以外の筒状としてもよい。また、挿入口２１の形状及び大きさについては、特に限定はないが、挿し込み部材１０の外径寸法に比べ若干大きい寸法に形成されることが望ましい。
【００６３】
底部２６は、筒部２５の挿入方向側（＋Ａ側）の端部に設けられ、端部を閉じるように形成されている。底部２６の＋Ａ側には、取り付け環２８が設けられている。取り付け環２８は、受け入れ部材２０を、真珠やチェーンなどが連接して構成される装飾部２（図１０参照）に接続させるために設けられる。取り付け環２８には、例えば装飾部２の端部と繋がれた円環部材４（図１０参照）が接続される。なお、受け入れ部材２０と装飾部２などの他の部材との接続は、取り付け環２８を介して行うことに限定されず、受け入れ部材２０に取り付け環２８を設けるか否かは任意である。受け入れ部材２０は、例えば、装飾部２の端部の表面に固着あるいは当接されるように配設されてもよい。この場合、受け入れ部材２０の挿入方向側（＋Ａ側）の端部が装飾部２に対して挿し込まれる構成であってもよい。
【００６４】
突起部２３，２４は、筒部２５の内部に設けられ、筒部２５の内部壁面２２から内部方向に向けて突出して形成される。突起部２３，２４は、それぞれ同一大きさの円柱形状であり、筒部２５の内部壁面２２に固着されている。ただし、突起部２３，２４は、上記構成に限定されず、例えば、それぞれ異なる形状又は大きさであってもよく、円錐形状や角柱形状などであってもよく、内部壁面２２から内部方向に出没可能に形成されてもよい。図５（ｂ）に示すように、突起部２３，２４は、受け入れ部材２０において２つが設けられており、２つの突起部２３，２４のそれぞれは、挿入方向Ａに見て、内部壁面２２上の円周上に１８０度の相対位置関係で配設されている。また、突起部２３，２４は、例えば、それぞれを結ぶ直線が挿入方向Ａに直交する平面に対して平行となるように配設される。
【００６５】
付勢部材２７は、受け入れ部材２０に挿入された挿し込み部材１０を挿入方向Ａとは反対の方向（−Ａ方向）に付勢する部材である。付勢部材２７は、図５（ａ）に示すように、筒部２５に収容されかつ底部２６と突起部２３，２４との間に配設される。付勢部材２７は、挿入方向Ａとは反対の方向（−Ａ方向）の端部において、挿入方向Ａに直交する方向に対して平行な平面部２７ａを有している。平面部２７ａは、例えば円板状に形成される。受け入れ部材２０に対して挿し込み部材１０が離脱している状態では、突起部２３，２４の挿入方向側（＋Ａ側）の面と当接した状態となっている。一方、平面部２７ａは、受け入れ部材２０に対して挿し込み部材１０が挿入されると、当接部１３に当接してさらに押されて、筒部２５の内部を挿入方向Ａに移動する（図６参照）。なお、受け入れ部材２０に対して挿し込み部材１０が離脱している状態の平面部２７ａは、突起部２３，２４に対して当接せずに離間した状態となるように形成されてもよい。
【００６６】
なお、受け入れ部材２０は、上記した構成に限定されない。例えば、筒部２５及び底部２６の一方又は双方は、受け入れ部材２０において設けられなくてもよい。この場合、例えば、筒部２５及び底部２６に代えて、挿し込み部材１０が挿入可能でありかつ内部に突起部２３，２４が設けられた筐体の構成が採用されてもよい。また、突起部２３，２４は、上記構成に限定されず、例えば、１つまたは３つ以上が設けられてもよい。また、突起部２３，２４は、筒部２５の内部に設けられるが、筒部２５の挿入方向Ａとは反対方向の先端部（−Ａ側の端部）に設けられてもよい。また、付勢部材２７についても、受け入れ部材２０において設けられなくてもよい。また、付勢部材２７は、付勢手段として機能するコイルバネと平面部２７ａとして機能する円板とを有する構成に限定されない。付勢部材２７としては、例えば、付勢手段としてコイルばね以外の弾性体が用いられてもよく、平面部２７ａとして円形状以外の板状部材が用いられてもよく、コイルバネと円板とが一体となった部材が採用されてもよい。
【００６７】
次に、クラスプ１００の接続の動作について、図４及び図６を用いて説明する。図４では、溝部４０を進行する際の突起部２３の動きを示している。図６は、クラスプ１００の接続動作を示す概略部分断面図である。なお、図６においては、受け入れ部材２０は断面図、挿し込み部材１０は側面図で示し、両部材を区別して表している。
【００６８】
挿し込み部材１０と受け入れ部材２０とを互いに接続させる際には、ユーザは、例えば挿し込み部材１０の把持部１５と受け入れ部材２０とをそれぞれ把持した状態で、挿し込み部材１０を受け入れ部材２０に接近させ、挿し込み部材１０を先端側から、挿入口２１を介して受け入れ部材２０に挿入し、当接部１３を平面部２７ａに当接させる。さらに、ユーザは、付勢部材２７の付勢力に抗して挿し込み部材１０の押圧部１６を挿入方向Ａに向けて押圧すことにより、図６に示すように、付勢部材２７が挿入方向Ａに収縮して挿し込み部材１０が挿入方向Ａに進行し、突起部２３，２４が回転部１２の挿入方向側（＋Ａ側）の端部から案内部３０に入り込む。そして、突起部２３，２４は、案内部３０により解放部３１，３２へそれぞれ案内される。その際、突起部２３，２４は案内部３０に対してカム動作のように摺動し、回転部１２は本体部１１及び受け入れ部材２０に対して相対的に回転する。この場合、当接部１３は、回転部１２とともに回転しない。そのため、回転部１２が回転しても、平面部２７ａと当接部１３との間に摩擦が発生しないので、回転部１２をスムーズに回転させることができる。
【００６９】
次いで、図４に示すように、突起部２３は、案内部３０に案内されて（矢印Ｅ参照）、解放部３１に到達する。続いて、突起部２３は、解放部３１を介して溝部４０に入り込み、溝部４０により進行方向が規制されて、溝部４０に沿って誘導される。
【００７０】
溝部４０に進入した突起部２３は、挿入方向Ａとは反対の方向（−Ａ方向）に進行する（矢印Ｆ参照）。そして、突起部２３は、第１案内面Ｓ１に当接すると進行の向きを変えて、第１案内面Ｓ１に沿って摺動しながら矢印Ｇの方向に移動する。第１案内面Ｓ１は、挿入方向Ａに対して傾斜して形成され、突起部２３を摺動させて折返部３５へ案内するために設けられる。ここで、挿入方向Ａに見て、第１案内面Ｓ１の幅（挿入方向Ａに対して直交する方向の距離）Ｗ１は、解放部３１の幅（挿入方向Ａに対して直交する方向の解放部分の距離）Ｗ２を含むように形成されている。そのため、図４の矢印Ｆの方向（−Ａ方向）に沿って進行する突起部２３を第１案内面Ｓ１に確実に当接させて、第１案内面Ｓ１により突起部２３を折返部３５に誘導することができる。
【００７１】
突起部２３が折返部３５に到達した後、ユーザが挿し込み部材１０に対する押圧を緩めると、付勢部材２７の付勢力により突起部２３は挿入方向側（＋Ａ側）に押されて、第２案内面Ｓ２に当接する（矢印Ｈ参照）。第２案内面Ｓ２は、挿入方向Ａに対して傾斜して形成され、突起部２３を摺動させて係止部３３へ案内するために設けられている。ここで、第２案内面Ｓ２は、挿入方向Ａに見て、幅Ｗ３が折返部３５の外周頂点Ｔ１を含むように形成されている。そのため、図４の矢印Ｈの方向（＋Ａ方向）に進行する突起部２３を第２案内面Ｓ２に確実に当接させて、第２案内面Ｓ２により突起部２３を係止部３３に誘導することができる。
【００７２】
突起部２３は、付勢部材２７の付勢力により第２案内面Ｓ２に摺動しながら係止部３３に到達し（矢印Ｉ参照）、係止部３３に係止される。突起部２３は、係止されると＋Ａ方向の壁面が障壁となって挿入方向Ａへの進行が防止される。そのため、互いに接続された挿し込み部材１０と受け入れ部材２０とをそれぞれ離間させる方向に外力が作用しても互いの接続は解除されない。以上により、クラスプ１００の接続が完了する。
【００７３】
続いて、クラスプ１００の接続を解除する場合の動作について説明する。クラスプ１００の接続を解除する場合、ユーザは、挿入方向に向けて（＋Ａ方向に）挿し込み部材１０を押圧する。これにより、図４に示すように、溝部４０において突起部２３は、係止部３３から離脱して−Ａ方向に移動する（矢印Ｊ参照）。
【００７４】
そして、突起部２３は、第３案内面Ｓ３に当接すると進行の向きを変えて、第３案内面Ｓ３に沿って摺動しながら矢印Ｋの方向に移動する。第３案内面Ｓ３は、挿入方向Ａに対して傾斜して形成され、突起部２３を摺動させて折返部３６へ案内するために設けられる。ここで、第３案内面Ｓ３は、挿入方向Ａに見て、幅Ｗ４が係止部３３の外周頂点Ｔ２を含むように形成されている。そのため、係止部３３から図４の矢印Jの方向（−Ａ方向）に進行する突起部２３を第３案内面Ｓ３に確実に当接させて、第３案内面Ｓ３により突起部２３を折返部３６に誘導することができる。
【００７５】
突起部２３が折返部３６に到達した後、ユーザが挿し込み部材１０に対する押圧を緩めると、付勢部材２７の付勢力により突起部２３は挿入方向に向けて（＋Ａ方向に）押されて、第４案内面Ｓ４に当接する（矢印Ｍ参照）。第４案内面Ｓ４は、挿入方向Ａに対して傾斜して形成され、突起部２３を摺動させて解放部３２へ案内するために設けられる。ここで、第４案内面Ｓ４は、挿入方向Ａに見て、幅Ｗ５が折返部３６の外周頂点Ｔ３を含むように形成されている。そのため、＋Ａ方向に進行する突起部２３を確実に第４案内面Ｓ４に当接させて、第４案内面Ｓ４により突起部２３を解放部３２に誘導することができる。
【００７６】
突起部２３は、付勢部材２７の付勢力を受けて第４案内面Ｓ４に沿って解放部３２の手前（−Ａ側）の位置に到達する（矢印Ｎ参照）。さらに、突起部２３は、＋Ａ方向に進行し、解放部３２を介して溝部４０から離脱し案内部３０に進入する（矢印Ｏ参照）。その後、突起部２３は、付勢部材２７の付勢力により＋Ａ方向に進行して案内部３０から離脱する。そして、挿し込み部材１０を受け入れ部材２０から引き抜くことにより、互いの接続が解除される。
【００７７】
以上、溝部４０における一方の突起部２３の動作及び溝部４０が突起部２３を案内する作用について説明したが、他方の突起部２４の動作及び溝部４０が突起部２４を案内する作用についても上記と同様である。クラスプ１００が接続される場合は、一方の突起部（例えば突起部２３）が解放部３１を介して溝部４０に進入するともに、他方の突起部（例えば突起部２４）は解放部３２を介して溝部４０に進入する。そして、クラスプ１００の接続が解除される場合は、上記一方の突起部（例えば突起部２３）が解放部３２を介して溝部４０から離脱するともに、上記他方の突起部（例えば突起部２４）は解放部３１を介して溝部４０から離脱する。
【００７８】
このような本実施形態のクラスプ１００によれば、挿し込み部材１０を受け入れ部材２０に対して、周方向の位置合わせを行うことなく挿入し、さらに挿入方向Ａに向けて押圧するだけで、クラスプ１００の接続が可能となる。また、挿し込み部材１０を受け入れ部材２０に対して挿入方向Ａに向けて押圧し、さらに引き抜くだけで、クラスプ１００の接続の解除が可能となる。すなわち、ユーザは、このような簡単な操作により、クラスプ１００の接続及び接続の解除を行うことができる。また、案内部３０及び溝部４０は回転部１２に設けられているので、案内部３０及び溝部４０に対して突起部２３，２４が摺動することにより回転部１２が回転しても、挿し込み部材１０の本体部１１は回転しないため、ユーザの挿し込み部材１０をつまんで持った手の指がねじられることがない。そのため、ユーザは、クラスプ１００の接続及び接続の解除を容易に行うことができる。さらに、挿し込み部材１０と受け入れ部材２０とを接続させあるいは接続を解除させるための部材を受け入れ部材２０の表面側に設ける必要がないので、受け入れ部材２０の外形の形状及び大きさについての制約が少なくなり、その結果、クラスプ１００の外形のデザインの自由度を確保することができる。
【００７９】
＜第２実施形態＞
次に、第２実施形態について、図７を用いて説明する。図７は、本実施形態に係るクラスプの一例を示し、回転部２１２の外周面を平面状に伸ばした展開図である。図７は、溝部２４０を示すとともに、２つの突起部２３，２４のうち一方の突起部２３の動きを示している。なお、以下の説明においては、主として第１実施形態と異なる部分について説明し、第１実施形態と同一または同等の構成部分については同一符号を付けて説明を省略または簡略化する。本実施形態に係るクラスプ２００は、挿し込み部材２１０と受け入れ部材２０とを有する。挿し込み部材２１０は、回転部２１２を有している。回転部２１２は、図７に示すように、案内部２３０と溝部２４０とを有している。案内部２３０及び溝部２４０は、回転部２１２の表面に形成されている。案内部２３０ａ，２３０ｂは、第１実施形態に係る案内部３０ａ，３０ｂと同様の構成である。
【００８０】
溝部２４０の経路は、上記した溝部４０と同様に、解放部２３１，２３２と、折返部２３５，２３６，２３７，２３８と、係止部２３３，２３４とを接続する。ただし、溝部２４０は、上記した溝部４０とは異なり、突起部２３，２４が進入する解放部２３１，２３２と、当該突起部２３，２４が溝部２４０から離脱する際に通過する解放部２３１，２３２とは同一となっている。すなわち、例えば、突起部２３は、解放部２３１を介して溝部２４０に進入しかつ同一の解放部２３１を介して溝部２４０から離脱する。溝部４０は、突起部２３，２４が摺動する第５〜第８案内面Ｓ５〜Ｓ８を有している。
【００８１】
次に、本実施形態のクラスプ２００の接続の動作について説明する。案内部２３０を介して溝部２４０に進入した（矢印Ｐ参照）突起部２３は、挿入方向Ａとは反対の方向（−Ａ方向）に進行する（矢印Ｑ参照）。そして、突起部２３は第５案内面Ｓ５に当接して進行方向を変える。第５案内面Ｓ５は、突起部２３を摺動させて折返部２３５まで誘導するために設けられ、突起部２３の進行方向に対して直交する方向から突起部２３を挟むように一対が配置される。一対の第５案内面Ｓ５の＋Ａ方向の端部は、挿入方向Ａから見た場合に解放部２３１を挟むように形成されている。すなわち、図７において、一対の第５案内面Ｓ５の＋Ａ方向の端部の間隔Ｗ６は、解放部２３１の幅Ｗ７よりも大きく、かつ挿入方向Ａに見て、間隔Ｗ６が幅Ｗ７を含むように形成されている。そのため、突起部２３は、解放部２３１を介して−Ａ方向に進行すると、そのまま第５案内面Ｓ５までスムーズに誘導される。そして、突起部２３は、第５案内面Ｓ５に対して摺動しながら折返部２３５まで案内される（矢印Ｓ参照）。
【００８２】
突起部２３が折返部２３５に到達した後、ユーザが挿し込み部材１０に対する押圧を緩めると、付勢部材２７の付勢力により突起部２３は挿入方向に向けて（＋Ａ方向に）押されて、第６案内面Ｓ６に当接する（矢印Ｔ参照）。第６案内面Ｓ６は、挿入方向Ａに対して傾斜して形成され、突起部２３を摺動させて係止部２３３へ案内するために設けられている。ここで、第６案内面Ｓ６は、挿入方向Ａに見て、幅Ｗ８が折返部２３５の外周頂点Ｔ４を含むように形成されている。そのため、＋Ａ方向に進行する突起部２３を確実に第６案内面Ｓ６に当接させて、第６案内面Ｓ６により突起部２３を係止部２３３に誘導することができる。
【００８３】
突起部２３は、付勢部材２７の付勢力により第６案内面Ｓ６に摺動しながら係止部２３３に到達し（矢印Ｕ参照）、係止部２３３に係止される。突起部２３は、係止されると、＋Ａ方向の壁面が障壁となって挿入方向Ａへの進行が防止される。そのため、互いに接続された本実施形態に係る挿し込み部材２１０と受け入れ部材２０とをそれぞれ離間させる方向に外力が作用しても互いの接続は解除されない。以上により、クラスプ１００の接続が完了する。
【００８４】
続いて、本実施形態のクラスプの接続を解除する場合の動作について説明する。まず、ユーザは、挿入方向に向けて（＋Ａ方向に）挿し込み部材２１０を押圧する。これにより、溝部２４０において突起部２３は、係止部２３３から離脱して−Ａ方向に移動する（矢印Ｖ参照）。
【００８５】
そして、突起部２３は、第７案内面Ｓ７に当接すると進行の向きを変えて、第７案内面Ｓ７に沿って摺動しながら折返部２３６まで移動する（矢印Ｗ参照）。第７案内面Ｓ７は、突起部２３を摺動させて折返部２３６へ案内するために設けられる。ここで、第７案内面Ｓ７は、挿入方向Ａに見て、幅Ｗ９が係止部２３３の外周頂点Ｔ５を含むように形成されている。そのため、係止部２３３から−Ａ方向に進行する突起部２３を第７案内面Ｓ７に確実に当接させて、第７案内面Ｓ７により突起部２３を折返部２３６に誘導することができる。
【００８６】
突起部２３が折返部２３６に到達した後、ユーザが挿し込み部材１０に対する押圧を緩めると、付勢部材２７の付勢力により突起部２３は挿入方向に向けて（＋Ａ方向に）押されて、突起部２３は、第８案内面Ｓ８に当接する。第８案内面Ｓ８は、突起部２３を摺動させて解放部２３１へ誘導するために設けられ、突起部２３を進行方向に対して直交する方向から挟むように一対が配置される。一対の第８案内面Ｓ８の−Ａ側の端部の幅Ｗ１０は、挿入方向（Ａ方向）から見た場合に折返部２３６の外周頂点Ｔ６を含むように形成されている。そのため、突起部２３は、折返部２３６から＋Ａ方向に離脱するとそのまま第８案内面Ｓ８に誘導される。そして、突起部２３は、第８案内面Ｓ８に対して摺動しながら解放部２３１の手前（−Ａ側）まで案内される（矢印Ｘ参照）。
【００８７】
次いで、突起部２３は、＋Ａ方向に進行して解放部２３１を介して溝部２４０から離脱し（矢印Ｙ参照）、案内部２３０に進入する（矢印Ｚ参照）。その後、突起部２３は、さらに＋Ａ方向に進行して案内部２３０から離脱する。突起部２３に対しては、付勢部材２７の付勢力が作用しているので、ユーザがクラスプ２００に対して引っ張るなどの操作を行わなくとも、突起部２３は、図７中の矢印Ｘ、矢印Ｙ、及び矢印Ｚに沿ってスムーズに移動する。そして、挿し込み部材２１０を受け入れ部材２０から引き抜くことにより、互いの接続が解除される。
【００８８】
以上、本実施形態に係るクラスプ２００の接続及び接続を解除する場合における突起部２３の動作並びに溝部２４０の解放部２３１、係止部２３３、及び折返部２３５，２３６の作用効果について説明したが、他方の突起部２４の動作並びに解放部２３２、係止部２３４、及び折返部２３７，２３８の作用効果についても同様である。
【００８９】
＜第３実施形態＞
続いて、第３実施形態について、図８を用いて説明する。図８は、本実施形態に係るクラスプ３００の一例を示す要部側面図である。なお、以下の説明においては、主として第１実施形態と異なる部分について説明し、第１実施形態と同一または同等の構成部分については同一符号を付けて説明を省略または簡略化する。
【００９０】
本実施形態に係るクラスプ３００は、挿し込み部材３１０と受け入れ部材２０とを有する。図８に示すように、挿し込み部材３１０は、本体部３１１と回転部３１２とを有している。回転部３１２は当接部３１３を有している。当接部３１３は、頂点を挿入方向側（＋Ａ側）に向けた尖形状に形成され、頂点部３１３ａを有している。頂点部３１３ａは、挿入された挿し込み部材３１０が受け入れ部材２０に対して相対的に回転する際の回転軸Ｒ上に配置される。なお、当接部３１３の形状は、円錐状であるが、これに限定されず、多角錐状や細い棒状などであってもよい。
【００９１】
本実施形態によれば、クラスプ３００を接続する際及び接続を解除する際に、回転部３１２が受け入れ部材２０に対して相対的に回転する場合であっても、挿し込み部材３１０と平面部２７ａ（図５（ｂ）参照）との互いの当接面の面積を最小としかつ回転により生じる当接部３１３の位置のぶれが防止されるので、回転により生じる摩擦の発生を低減させることができる。従って、クラスプ３００の接続の操作及び接続の解除の操作をより容易に行うことができる。
【００９２】
＜第４実施形態＞
続いて、第４実施形態について、図９を用いて説明する。図９は、本実施形態に係るクラスプの一例を示す要部展開図であり、図４及び図７と同様に、回転部１２の外周面を平面状に伸ばした展開図である。なお、図９では、案内部４３０と案内部３０との比較を容易にするために、案内部３０をあわせて図示している。以下の説明においては、主として第１実施形態と異なる部分について説明し、第１実施形態と同一または同等の構成部分については同一符号を付けて説明を省略または簡略化する。
【００９３】
本実施形態に係るクラスプ４００は、挿し込み部材４１０と受け入れ部材２０とを有する。図９に示すように、挿し込み部材の回転部４１２は、案内部４３０と溝部４０とを有している。案内部４３０は、２つの解放部３１，３２のそれぞれに対して、一対が設けられている。また、一対の案内部４３０のそれぞれは、突起部２３，２４が摺動する距離が互いに異なるように形成されている。すなわち、一対の案内部４３０のうち一方の案内部４３０ａの摺動距離Ｌ３と他方の案内部４３０ｂの摺動距離Ｌ４とは異なっており、摺動距離Ｌ３は、摺動距離Ｌ４よりも短く形成されている。このような構成により、上記一方の案内部４３０ａの挿入方向Ａに直交する平面に対する傾斜角度が大きく形成されている。そして、上記一方の案内部４３０ａは、そのスロープ形状に着目すると、第１実施形態に係る案内部３０ａ，３０ｂに比べて、突起部２３，２４が摺動する距離が短く、かつ挿入方向Ａに直交する方向に平行な平面に対する傾斜角度が大きく形成され、急斜面状となっている。
【００９４】
このような急斜面状の案内部４３０の構成によれば、突起部２３，２４は、上記した一方の案内部４３０ａに沿って摺動することにより、摺動面から受ける抵抗が低減される。そのため、突起部２３，２４を案内しつつ、挿入方向に向けて（＋Ａ方向に）スムーズに進行させることができる。
【００９５】
＜第５実施形態＞
続いて、第５実施形態について、図１０を用いて説明する。図１０は、本実施形態のアクセサリ１の一例を示す要部側面図である。なお、以下の説明においては、第１実施形態と同一または同等の構成部分については同一符号を付けて説明を省略または簡略化する。図１０に示すように、アクセサリ１は、例えば円環状の装身具であり、クラスプ１００と、装飾部２と、円環部材３，４とを有している。
【００９６】
装飾部２は、複数の真珠が連設されて形成される。ただし、装飾部２は、上記構成に限定されず、例えばチェーンや紐状部材から構成されてもよい。円環部材３は、挿し込み部材１０の取り付け穴１６ａに接続されている。円環部材４は、クラスプ本体３０の取り付け環２８に接続されている。クラスプ１０は、円環部材３，４を介して装飾部２に接続されている。
【００９７】
クラスプ１００（受け入れ部材２０）は、表面に装飾が施されてもよく、この場合、上述したように、クラスプ１００は外形のデザインの自由度が確保されるので、クラスプ１００の接続機能を阻害しない範囲で、種々のデザインを採用することができる。例えば、クラスプ１００の外形を鍵形状としてもよく、オニキスやアメジストなどの宝石から形成された筒状の装飾部材をクラスプ１００の表面に配置してもよい。
【００９８】
なお、アクセサリ１は、上記した構成に限定されない。例えば、アクセサリ１は、環状以外の形状であってもよい。また、アクセサリ１は、クラスプ１００及び装飾部２の一方又は双方を複数有してもよい。また、アクセサリ１は、挿し込み部材１０及び受け入れ部材２０の一方又は双方を複数有してもよく、この場合、アクサセリ１を構成するクラスプ１００は、例えば２つの挿入口２１を備えかつ２つの挿し込み部材１０どうしを接続可能に形成された受け入れ部材２０を有するものでもよい。また、アクセサリ１において、クラスプ１００と装飾部２とは、円環部材３，４の一方又は双方を介さずに接続される構成としてもよく、この場合、挿し込み部材１０及び受け入れ部材２０の一方または双方は、装飾部２の端部に固着又は当接されて装飾部２と一体的に形成されてもよい。
【００９９】
以上、本発明の挿し込み部材、クラスプ、及びアクセサリについて説明したが、本発明は、上記した説明に限定されるものではなく、本発明の要旨を逸脱しない範囲において種々の変更が可能である。例えば、上記した実施形態の一部の構成を他の実施形態の構成と置き換えてもよく、上記した実施形態の構成を組み合わせてもよい。
【０１００】
また、本発明のクラスプの用途は、チェーンや連接された珠玉などを有する装飾部を接続するための接続手段に限定されるものではなく、代替的に、真珠やチェーンと、ペンダントヘッドとを接続するための接続手段に適用してもよい。この場合、予め種々の形状及び大きさのペンダントヘッドを用意して、ユーザのファッションや趣向に合ったペンダントヘッドを適宜選択して用いることが可能となる。また、本発明のアクセサリにおいては、クラスプの外形のデザインとして上記ペンダントヘッドのデザインを採用してもよい。また、本発明のクラスプの用途は主としてアクセサリであるが、この用途に限定されるものではない。例えば、本発明の挿し込み部材及びクラスプは、携帯電話の本体とストラップとを接続するための接続手段として使用してもよい。また、本発明のクラスプは、挿し込み部材側及び受け入れ部材側において、それぞれ複数の挿し込み部材及び複数の受け入れ部材２０を一体に接合して、多連式のクラスプとしてもよい。
【符号の説明】
【０１０１】
Ａ…挿入方向
Ｒ…回転軸
１…アクセサリ
１０，２１０，３１０，４１０…挿し込み部材
１１，３１１…本体部
１２，２１２，３１２…回転部
１３，３１３…当接部
２０…受入れ部材  
２３，２４…突起部
２７…付勢部材
２７ａ…平面部  
３０，２３０，４３０…案内部
３１，３２，２３１，２３２…解放部
３３，３４，２３３，２３４…係止部
３５，３６，３７，３８，２３５，２３６，２３７，２３８…折返部
４０，２４０…溝部
１００，２００，３００，４００…クラスプ
３１３ａ…頂点部
【図１】
2016079874.tif 000003
【図２】
2016079874.tif 000004
【図３】
2016079874.tif 000005
【図４】
2016079874.tif 000006
【図５】
2016079874.tif 000007
【図６】
2016079874.tif 000008
【図７】
2016079874.tif 000009
【図８】
2016079874.tif 000010
【図９】
2016079874.tif 000011
【図１０】
2016079874.tif 000012
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
クラスプを構成しかつ受け入れ部材に挿入される挿し込み部材であって、  
前記挿し込み部材の表面に形成された溝部を有し、
前記溝部は、
前記受け入れ部材の内側に設けられた突起部が入り込み、前記突起部を前記溝部に沿って誘導して、前記突起部の進行方向を規制し、
挿入方向の端部に設けられかつ前記突起部の進入及び離脱のいずれも可能に形成された複数の解放部と、前記突起部の挿入方向への進行を防止し前記突起部を係止する係止部と、を有し、
前記複数の解放部は、前記突起部が前記溝部に進入する際に通る解放部と該突起部が前記係止部による係止の解除後に前記溝部から離脱する際に通る解放部とが異なるように形成されることを特徴とする挿し込み部材。
【請求項２】
前記挿し込み部材は、前記挿し込み部材の本体部に対して相対的に回転自在に支持されかつ挿入方向に対して平行な回転軸を有する回転部を備えることを特徴とする請求項１記載の挿し込み部材。
【請求項３】
前記溝部は、前記解放部と、前記突起部の挿入方向と反対の方向への進行を防止するとともに前記突起部を進入方向と異なる方向に進出させる折返部と、を有し、前記解放部と前記係止部とを接続するように形成され、
前記解放部及び前記係止部のそれぞれは、２つ設けられ、互いに前記回転部の回転軸を中心とする円周上に１８０度の相対位置関係で配置され、
前記折返部は、４つ設けられ、それぞれ前記解放部と前記係止部との間に形成されることを特徴とする請求項２記載の挿し込み部材。
【請求項４】
前記挿し込み部材の先端側から前記溝部にかけて形成され、前記突起部を前記挿し込み部材の先端側から前記解放部まで摺動させて案内する案内部を有することを特徴とする請求項１〜請求項３のいずれか１項に記載の挿し込み部材。
【請求項５】
前記案内部は、前記解放部ごとに一対が設けられかつ前記一対の案内部のそれぞれは前記突起部が摺動する距離が互いに異なるように形成されることを特徴とする請求項４記載の挿し込み部材。
【請求項６】
クラスプを構成しかつ受け入れ部材に挿入される挿し込み部材であって、  
前記挿し込み部材の表面に形成された溝部を有し、
前記溝部は、
前記受け入れ部材の内側に設けられた突起部が入り込み、前記突起部を前記溝部に沿って誘導して、前記突起部の進行方向を規制し、
前記突起部の挿入方向への進行を防止し前記突起部を係止する係止部と、挿入方向の端部に形成されかつ前記突起部の進入及び離脱の少なくとも一方が可能に形成された解放部と、を有し、
前記解放部と、前記突起部の挿入方向と反対の方向への進行を防止するとともに前記突起部を進入方向と異なる方向に進出させる折返部と、を有し、前記解放部と前記係止部とを接続するように形成され、
前記折返部は、前記解放部と前記係止部との間に設けられ、
前記突起部が前記溝部に進入する際に通る解放部と該突起部が前記溝部から離脱する際に通る解放部とは同一であることを特徴とする挿し込み部材。
【請求項７】
前記受け入れ部材と前記受け入れ部材に挿入される請求項１〜請求項６のいずれか１項に記載の挿し込み部材とを有することを特徴とするクラスプ。
【請求項８】
前記受け入れ部材は、挿入された前記挿し込み部材を挿入方向とは反対の方向に付勢する付勢部材を有し、
前記付勢部材は、挿入方向とは反対の方向の端部において、挿入方向に対して直交する方向に平行な平面部を有し、
前記挿し込み部材は、挿入方向の先端部分に形成され前記平面部に当接する当接部を有し、
前記当接部は、頂点部を挿入方向側に向けた円錐状に形成され、挿入された前記挿し込み部材が前記受け入れ部材に対して相対的に回転する際の回転軸上に前記頂点部が形成されることを特徴とする請求項７記載のクラスプ。
【請求項９】
請求項７又は請求項８に記載のクラスプを有することを特徴とするアクセサリ。
【手続補正２】
【補正対象書類名】明細書
【補正対象項目名】０００９
【補正方法】変更
【補正の内容】
【０００９】
上記課題を解決するために創案された第１の発明は、クラスプを構成しかつ受け入れ部材に挿入される挿し込み部材であって、挿し込み部材の表面に形成された溝部を有し、溝部は、受け入れ部材の内側に設けられた突起部が入り込み、突起部を溝部に沿って誘導して、突起部の進行方向を規制し、挿入方向の端部に設けられかつ突起部の進入及び離脱のいずれも可能に形成された複数の解放部と、突起部の挿入方向への進行を防止し突起部を係止する係止部と、を有し、複数の解放部は、突起部が溝部に進入する際に通る解放部と該突起部が係止部による係止の解除後に溝部から離脱する際に通る解放部とが異なるように形成されることを特徴とする。
【手続補正３】
【補正対象書類名】明細書
【補正対象項目名】００１０
【補正方法】変更
【補正の内容】
【００１０】
このような構成によれば、受け入れ部材と挿し込み部材とは、受け入れ部材に挿し込み部材が挿入されて、突起部が溝部に入り込むことで接続され、溝部から突起部が離脱することにより接続が解除される。そのため、受け入れ部材と挿し込み部材とを接続させあるいは接続を解除させるための部材を受け入れ部材の表面側に設ける必要がない。従って、受け入れ部材の外形の形状及び大きさについての制約が少なくなるので、クラスプの外形のデザインの自由度を確保することができる。また、突起部は溝部に沿って進行することにより、受け入れ部材と挿入された挿し込み部材とが相対的に移動する方向及び距離が規制されるので、溝部を所定の形状に形成することにより、受け入れ部材と挿し込み部材とを所定の位置で接続することができる。さらに、挿し込み部材において、受け入れ部材の突起部が入り込む溝部が形成されるので、溝部が受け入れ部材に設けられかつ溝部に入り込む突起部が挿し込み部材に形成される構成と比較して、挿し込み部材の外形は小さくなるので、クラスプを細く形成することが可能となる。
【手続補正４】
【補正対象書類名】明細書
【補正対象項目名】００１１
【補正方法】変更
【補正の内容】
【００１１】
また、このような構成によれば、突起部は、溝部に沿って係止部まで誘導されて係止部に係止されるので、突起部を係止部に容易に係止させることができる。また、突起部は、係止部に係止されると、係止部が障壁となって挿入方向への進行が防止されるので、互いに接続された受け入れ部材と挿し込み部材とをそれぞれ離間させる方向に外力が作用しても、突起部と係止部の壁面とがより強く当接した状態となるだけで、互いの係止は解除されない。そのため、クラスプの接続状態をより確実に維持し、接続が不用意に解除されることを防止することができる。
【手続補正５】
【補正対象書類名】明細書
【補正対象項目名】００１２
【補正方法】変更
【補正の内容】
【００１２】
また、このような構成によれば、挿し込み部材を受け入れ部材に挿入することにより突起部は解放部を介して溝部に入り込み、挿し込み部材を受け入れ部材から挿入方向と反対の方向に離間させることにより突起部は解放部を介して溝部から離脱する。そのため、挿し込み部材を挿入方向あるいは挿入方向と反対の方向に操作するのみでクラスプの接続又は接続の解除の操作を行うことができる。
【手続補正６】
【補正対象書類名】明細書
【補正対象項目名】００１３
【補正方法】変更
【補正の内容】
【００１３】
上記課題を解決するために創案された第２の発明は、上記した第１の発明に係る挿し込み部材において、挿し込み部材の本体部に対して相対的に回転自在に支持されかつ挿入方向に対して平行な回転軸を有する回転部を備えることを特徴とする。
【手続補正７】
【補正対象書類名】明細書
【補正対象項目名】００１４
【補正方法】変更
【補正の内容】
【００１４】
このような構成によれば、突起部が溝部に沿って進行することにより、回転部が受け入れ部材に対して相対的に回転する場合であっても、挿し込み部材の本体部は回転部とともに回転しない構成とすることができる。そのため、クラスプの接続及び接続の解除の際に、ユーザが本体部及び受け入れ部材のそれぞれを把持して操作することにより、回転部が回転する場合であっても、本体部及び受け入れ部材の互いが相対的に回転することが抑制されるので、クラスプを接続及び接続を解除する際の操作を容易かつ確実に行うことができる。
【手続補正８】
【補正対象書類名】明細書
【補正対象項目名】００１５
【補正方法】変更
【補正の内容】
【００１５】
上記課題を解決するために創案された第３の発明は、上記した第２の発明に係る挿し込み部材において、溝部は、挿入方向の先端側の端部に形成され突起部の進入及び離脱の少なくとも一方が可能な解放部と、突起部の挿入方向と反対の方向への進行を防止するとともに突起部を進入方向と異なる方向に進出させる折返部と、を有し、解放部と係止部とを接続するように形成され、解放部及び係止部のそれぞれは、２つ設けられ、互いに回転部の回転軸を中心とする円周上に１８０度の相対位置関係で配置され、折返部は、４つ設けられ、それぞれ解放部と係止部との間に形成されることを特徴とする。
【手続補正９】
【補正対象書類名】明細書
【補正対象項目名】００１７
【補正方法】変更
【補正の内容】
【００１７】
上記課題を解決するために創案された第４の発明は、上記した第１〜第３の発明に係る挿し込み部材のいずれかにおいて、挿し込み部材の先端側から溝部にかけて形成され、突起部を挿し込み部材の先端側から解放部まで摺動させて案内する案内部を有することを特徴とする。
【手続補正１０】
【補正対象書類名】明細書
【補正対象項目名】００１８
【補正方法】変更
【補正の内容】
【００１８】
このような構成によれば、受け入れ部材に挿し込み部材を挿入すると、突起部は、案内部によって挿し込み部材の先端から解放部まで案内される。そのため、挿し込み部材を受け入れ部材に挿入する際に、解放部と突起部との位置合わせを行うことなく挿入することができる。
【手続補正１１】
【補正対象書類名】明細書
【補正対象項目名】００１９
【補正方法】変更
【補正の内容】
【００１９】
上記課題を解決するために創案された第５の発明は、案内部が、上記した第４の発明に係る挿し込み部材において、解放部ごとに一対が設けられかつ一対の案内部のそれぞれは突起部が摺動する距離が互いに異なるように形成されることを特徴とする。
【手続補正１２】
【補正対象書類名】明細書
【補正対象項目名】００２０
【補正方法】変更
【補正の内容】
【００２０】
このような構成によれば、一対の案内部のうち一方は、他方に対して摺動距離が短く形成されるとともに、挿入方向に直交する平面に対する傾斜角度が大きく形成されて急斜面状となる。そのため、突起部が上記一方の案内部に沿って摺動することにより、突起部が挿入方向に向けて進行する際に摺動面から受ける抵抗が低減されるので、突起部を挿入方向に向けてスムーズに進行させることができる。特に、案内部の挿入方向の長さを十分に確保することができない場合であっても、上記した一方の案内部の構成によれば、摺動距離が短くかつ急斜面状の案内部を設けることができる。従って、このような構成によれば、挿し込み部材を挿入方向に向けて押圧することにより挿し込み部材をスムーズに受け入れ部材に挿入させることができる。
【手続補正１３】
【補正対象書類名】明細書
【補正対象項目名】００２１
【補正方法】変更
【補正の内容】
【００２１】
上記課題を解決するために創案された第６の発明は、クラスプを構成しかつ受け入れ部材に挿入される挿し込み部材であって、挿し込み部材の表面に形成された溝部を有し、溝部は、受け入れ部材の内側に設けられた突起部が入り込み、突起部を溝部に沿って誘導して、突起部の進行方向を規制し、突起部の挿入方向への進行を防止し突起部を係止する係止部と、挿入方向の端部に形成されかつ突起部の進入及び離脱の少なくとも一方が可能に形成された解放部と、を有し、解放部と、突起部の挿入方向と反対の方向への進行を防止するとともに突起部を進入方向と異なる方向に進出させる折返部と、を有し、解放部と係止部とを接続するように形成され、折返部は、解放部と係止部との間に設けられ、突起部が溝部に進入する際に通る解放部と該突起部が溝部から離脱する際に通る解放部とは同一であることを特徴とする。
【手続補正１４】
【補正対象書類名】明細書
【補正対象項目名】００２２
【補正方法】変更
【補正の内容】
【００２２】
このような構成によれば、突起部は、同一の解放部を介して溝部へ進入及び溝部から離脱する。そのため、受け入れ部材と挿し込み部材との相対的な位置は、突起部が溝部に入り込む際と突起部が溝部から離脱する際とで同一の位置となる。すなわち、挿し込み部材が、突起部が溝部に案内されることにより受け入れ部材に対して挿入方向に進退する場合や相対的に回転する構成であっても、突起部が溝部から離脱するまでの突起部の進行過程において、受け入れ部材に対する挿し込み部材の位置はもとの位置に戻る。従って、受け入れ部材と挿し込み部材との相対的な位置が、互いの接続の際と分離の際とで異なることに起因して、互いがねじれることを回避することができる。
【手続補正１５】
【補正対象書類名】明細書
【補正対象項目名】００２３
【補正方法】変更
【補正の内容】
【００２３】
上記課題を解決するために創案された第７の発明は、受け入れ部材と、受け入れ部材に挿入される上記した第１〜第６の発明に係る挿し込み部材のいずれかと、を有することを特徴とする。
【手続補正１６】
【補正対象書類名】明細書
【補正対象項目名】００２４
【補正方法】変更
【補正の内容】
【００２４】
このような構成によれば、受け入れ部材と上記した効果を有する挿し込み部材とを備えるクラスプを提供することができる。
【手続補正１７】
【補正対象書類名】明細書
【補正対象項目名】００２５
【補正方法】変更
【補正の内容】
【００２５】
上記課題を解決するために創案された第８の発明は、上記した第７の発明に係るクラスプにおいて、受け入れ部材は、挿入された挿し込み部材を挿入方向とは反対の方向に付勢する付勢部材をし、付勢部材は、挿入方向とは反対の方向の端部において、挿入方向に対して直交する方向に平行な平面部を有し、挿し込み部材は、挿入方向の先端部分に形成され平面部に当接する当接部を有し、当接部は、頂点部を挿入方向側に向けた円錐状に形成され、挿入された挿し込み部材が受け入れ部材に対して相対的に回転する際の回転軸上に頂点部が形成されることを特徴とする。
【手続補正１８】
【補正対象書類名】明細書
【補正対象項目名】００２６
【補正方法】変更
【補正の内容】
【００２６】
このような構成によれば、付勢部材を有することにより、挿し込み部材を受け入れ部材から離脱させる際の操作を、付勢部材の付勢力を利用して容易に行うことができる。また、溝部において係止部が設けられる場合においても、上記付勢力を利用して容易に突起部を係止部に誘導することができるとともに、係止部における突起部の係止が容易に解除されることを防止することができる。
【手続補正１９】
【補正対象書類名】明細書
【補正対象項目名】００２７
【補正方法】変更
【補正の内容】
【００２７】
また、このような構成によれば、互いに当接する平面部と当接部とを有することにより、付勢部材による付勢力を、挿し込み部材に対して、平面部及び当接部を介して確実に伝えることができる。また、クラスプの接続又は接続の解除の際に、挿し込み部材の挿入方向の先端部分が、付勢部材に対して相対的に回転する場合であっても、挿し込み部材と付勢部材との互いの当接面の面積が縮小するので回転により生じる摩擦の発生が抑制される。そのため、クラスプの接続又は接続の解除の操作を容易に行うことができる。
【手続補正２０】
【補正対象書類名】明細書
【補正対象項目名】００２８
【補正方法】変更
【補正の内容】
【００２８】
また、このような構成によれば、クラスプの接続又は接続の解除の際に、挿し込み部材の挿入方向の先端部が、受け入れ部材に対して相対的に回転する場合であっても、挿し込み部材と付勢部材との互いの当接面の面積が最小となりかつ回転に伴い当接部が径方向に振れることが防止されるので、回転により当接面に生じる摩擦の発生を低減することができる。これにより、クラスプの接続又は接続の解除の操作をより容易に行うことができる。
【手続補正２１】
【補正対象書類名】明細書
【補正対象項目名】００２９
【補正方法】変更
【補正の内容】
【００２９】
上記課題を解決するために創案された第９の発明は、上記した第７又は第８の発明に係るクラスプを有することを特徴とする。
【手続補正２２】
【補正対象書類名】明細書
【補正対象項目名】００３０
【補正方法】変更
【補正の内容】
【００３０】
このような構成によれば、上記した挿し込み部材と上記した受け入れ部材とを備えるクラスプを、アクセサリの形態で提供することができる。
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【国際調査報告】
2016079874.tif 000013
2016079874.tif 000014